【手続補正書】
【提出日】令和3年10月13日(2021.10.13)
【手続補正１】
【補正対象書類名】特許請求の範囲
【補正対象項目名】全文
【補正方法】変更
【補正の内容】
【特許請求の範囲】
【請求項１】
空中滞在型の通信中継装置であって、
ゲートウェイ局との間でフィーダリンクの無線通信を行うフィーダリンク通信部と、
端末装置との間でサービスリンクの無線通信するサービスリンク通信部と、
当該通信中継装置を移動させる駆動部と、
前記ゲートウェイ局と当該通信中継装置との間のフィーダリンクの無線伝搬路に局所的な伝搬損失増大部が発生したとき又は前記伝搬損失増大部の発生が予測されるとき、前記フィーダリンクの無線伝搬路における前記伝搬損失増大部による通信品質の低下を抑制又は回避できる位置まで当該通信中継装置を移動させるように制御する駆動制御部と、
を備え、
前記サービスリンクのセルの地上又は海上におけるフットプリントの位置及び形状を維持可能な範囲内で移動する、ことを特徴とする通信中継装置。
【請求項２】
請求項１の通信中継装置において、
フィーダリンク用のアンテナの機械的な駆動又は前記フィーダリンクにおける信号処理により前記ゲートウェイ局の方向を向くように前記フィーダリンク通信部の指向性ビームを制御することを特徴とする通信中継装置。
【請求項３】
請求項１又は２の通信中継装置において、
当該通信中継装置を移動させた後又は当該通信中継装置の移動中に、前記サービスリンクのセルの地上又は海上におけるフットプリントの位置及び形状を当該通信中継装置の移動前の前記フットプリントの位置及び形状に維持するように前記サービスリンク通信部の指向性ビームを制御することを特徴とする通信中継装置。
【請求項４】
請求項１乃至３のいずれかの通信中継装置において、
前記フィーダリンクの無線伝搬路における局所的な伝搬損失増大部の発生に影響する気象情報を取得し、前記気象情報に基づいて、前記フィーダリンクの無線伝搬路における前記通信品質の低下を抑制又は回避できる位置に移動することを特徴とする通信中継装置。
【請求項５】
請求項１乃至４のいずれかの通信中継装置において、
前記フィーダリンクの無線伝搬路における局所的な伝搬損失増大部の発生に影響する気象の時間的変動又は空間的変動を検知又は予測し、前記気象の時間的変動又は空間的変動の検知結果又は予測結果に基づいて、前記フィーダリンクの無線伝搬路における前記通信品質の低下を抑制又は回避できる位置に移動することを特徴とする通信中継装置。
【請求項６】
請求項５の通信中継装置において、
前記ゲートウェイ局との間のフィーダリンクと、前記ゲートウェイ局とは異なる場所に位置するように地上又は海上に設けた無線装置との間のリンクとを含む、複数リンクの無線伝搬路における伝搬損失又は無線信号減衰量を測定し、前記測定の結果に基づいて、前記気象の空間的変動を検知又は予測することを特徴とする通信中継装置。
【請求項７】
請求項１乃至６のいずれかの通信中継装置において、
前記ゲートウェイ局と前記通信中継装置との間のフィーダリンクの無線伝搬路における伝搬損失又は無線信号減衰量を測定し、前記測定の結果に基づいて、前記フィーダリンクの無線伝搬路における前記通信品質の低下を抑制又は回避できる位置に移動することを特徴とする通信中継装置。
【請求項８】
請求項１乃至７のいずれかの通信中継装置において、
当該通信中継装置が移動した先で前記フィーダリンクの無線信号の減衰量若しくは伝搬損失又は前記通信品質を測定することを特徴とする通信中継装置。
【請求項９】
請求項１乃至８のいずれかの通信中継装置において、
当該通信中継装置の周辺に他の空中滞在型の通信中継装置が位置するとき、当該通信中継装置と前記他の通信中継装置とが互いに最適配置になるように前記他の通信中継装置と連動して移動することを特徴とする通信中継装置。
【請求項１０】
請求項１乃至９のいずれかの通信中継装置において、
当該通信中継装置の周辺に、管理運用主体が異なる他の空中滞在型の通信中継装置が位置するとき、前記他の通信中継装置に移動先を指示することを特徴とする通信中継装置。
【請求項１１】
空中滞在型の通信中継装置と無線通信を行うゲートウェイ局であって、
通信網との間で通信を行うネットワーク通信部と、
前記通信中継装置との間でフィーダリンクの無線通信を行うフィーダリンク通信部と、
当該ゲートウェイ局を移動させる駆動部と、
当該ゲートウェイ局と前記通信中継装置との間のフィーダリンクの無線伝搬路に局所的な伝搬損失増大部が発生したとき又は前記伝搬損失増大部の発生が予測されるとき、前記フィーダリンクの無線伝搬路における前記伝搬損失増大部による通信品質の低下を抑制又は回避できる位置まで当該ゲートウェイ局を移動させるように制御する駆動制御部と、
を備えることを特徴とするゲートウェイ局。
【請求項１２】
請求項１１のゲートウェイ局において、
フィーダリンク用のアンテナの機械的な駆動又は前記フィーダリンクにおける信号処理により前記通信中継装置の方向を向くように前記フィーダリンク通信部の指向性ビームを制御することを特徴とするゲートウェイ局。
【請求項１３】
請求項１１又は１２のゲートウェイ局において、
当該ゲートウェイ局と前記フィーダリンクの無線通信を行っている接続中の前記通信中継装置は複数であり、
前記複数の接続中の通信中継装置にとって最適な位置に移動することを特徴とするゲートウェイ局。
【請求項１４】
請求項１１乃至１３のいずれかのゲートウェイ局において、
当該ゲートウェイ局と前記フィーダリンクの無線通信を行っている接続中の前記通信中継装置の周辺に、前記接続中の通信中継装置とは運用管理主体が異なる他の空中滞在型の通信中継装置が位置するとき、前記接続中の通信中継装置及び前記他の通信中継装置の両方にとって最適な位置に移動することを特徴とするゲートウェイ局。
【請求項１５】
請求項１１乃至１４のいずれかのゲートウェイ局において、
前記フィーダリンクの無線伝搬路における局所的な伝搬損失増大部の発生に影響する気象情報を取得し、前記気象情報に基づいて、前記フィーダリンクの無線伝搬路における前記通信品質の低下を抑制又は回避できる位置に移動することを特徴とするゲートウェイ局。
【請求項１６】
請求項１１乃至１５のいずれかのゲートウェイ局において、
前記フィーダリンクの無線伝搬路における局所的な伝搬損失増大部の発生に影響する気象の時間的変動又は空間的変動を検知又は予測し、前記気象の時間的変動又は空間的変動の検知結果又は予測結果に基づいて、前記フィーダリンクの無線伝搬路における前記通信品質の低下を抑制又は回避できる位置に移動することを特徴とするゲートウェイ局。
【請求項１７】
請求項１１乃至１６のいずれかのゲートウェイ局において、
前記ゲートウェイ局と前記通信中継装置との間のフィーダリンクの無線伝搬路における伝搬損失又は無線信号減衰量を測定し、前記測定の結果に基づいて、前記フィーダリンクの無線伝搬路における前記通信品質の低下を抑制又は回避できる位置に移動することを特徴とするゲートウェイ局。
【請求項１８】
請求項１１乃至１７のいずれかのゲートウェイ局において、
当該ゲートウェイ局が移動した先で前記フィーダリンクの無線信号の減衰量若しくは伝搬損失又は前記通信品質を測定することを特徴とするゲートウェイ局。
【請求項１９】
請求項１乃至１０のいずれかの通信中継装置と請求項１１乃至１８のいずれかのゲートウェイ局とを備え、前記フィーダリンクの無線伝搬路における前記伝搬損失増大部による通信品質の低下を抑制又は回避できる位置まで前記通信中継装置及び前記ゲートウェイ局の少なくとも一方を移動させることを特徴とする通信システム。
【請求項２０】
請求項１９の通信システムにおいて、
前記通信中継装置及び前記ゲートウェイ局の少なくとも一方は複数であり、複数のフィーダリンクの無線伝搬路における前記伝搬損失増大部による通信品質の低下を同時に抑制又は回避することを特徴とする通信システム。
【請求項２１】
請求項１９又は２０の通信システムにおいて、
前記フィーダリンクの無線伝搬路における前記伝搬損失増大部による通信品質の低下を抑制又は回避できる位置まで移動させるための制御情報を前記通信中継装置及び前記ゲートウェイ局の少なくとも一方に送信する遠隔制御装置を、更に備えることを特徴とする通信システム。
【請求項２２】
空中滞在型の通信中継装置と無線通信を行うゲートウェイ局に設けられたコンピュータ又はプロセッサで実行されるプログラムであって、
通信網との間で通信を行うためのプログラムコードと、
前記通信中継装置との間でフィーダリンクの無線通信を行うためのプログラムコードと、
前記ゲートウェイ局と前記通信中継装置との間のフィーダリンクの無線伝搬路に局所的な伝搬損失増大部が発生したとき又は前記伝搬損失増大部の発生が予測されるとき、前記フィーダリンクの無線伝搬路における前記伝搬損失増大部による通信品質の低下を抑制又は回避できる位置まで前記ゲートウェイ局を移動させるためのプログラムコードと、
を含むことを特徴とするプログラム。